(57)【要約】【課題】外部からの制御を必要とせず、電源供給の落ち込みと発熱を回避し、コストを抑えることが可能な電圧供給安定化回路および液晶表示装置のインバータ回路への電圧供給安定化回路を提供する。【解決手段】スイッチングトランス１４は電源投入時２２Ｖ／待機時８Ｖを出力する端子と電源投入時１０Ｖ／待機時３Ｖを出力する端子とを有し、２２Ｖまたは８ＶがレギュレータＩＣ１で５Ｖに降圧されつつレギュレータＩＣ２に入力され、１０Ｖまたは３ＶがレギュレータＩＣ２に入力され、電源投入時は１０ＶをレギュレータＩＣ２が３．３Ｖに降圧してインバータ回路１０ｆに供給し、待機時は８ＶをレギュレータＩＣで３．３Ｖに降圧してインバータ回路１０ｆに供給する。【選択図】図２
2008020724.tif 000002
【特許請求の範囲】
【請求項１】
液晶表示装置のインバータ回路への電圧供給を安定させるインバータ回路への電圧供給安定化回路において、
上記電圧供給安定化回路には、電源回路の具備するスイッチングトランスの第一出力端子および第二出力端子から電圧供給され、
上記第一出力端子は順方向接続される第一ダイオードを介して第一レギュレータＩＣの入力端子に接続されるとともに、同第一レギュレータＩＣの出力端子は順方向接続される第二ダイオードを介して第二レギュレータＩＣの入力端子に接続され、かつ、上記第二出力端子は直列かつ順方向接続される第三ダイオードおよび第四ダイオードを介して上記第二レギュレータＩＣの入力端子に接続され、
上記第一出力端子からは上記スイッチングトランスの帰還制御に使用される第一電圧が出力され、上記第二出力端子からは上記第一電圧より低い第二電圧が出力され、上記第一レギュレータＩＣが上記第一電圧を上記第二電圧より低い第三電圧に降圧して上記第二レギュレータＩＣに入力し、上記第二出力端子からも上記第二電圧を逆流防止のダイオードを介して上記第二レギュレータＩＣに入力し、
上記液晶表示装置の電源投入時は、上記第二レギュレータＩＣには上記第二電圧が入力されて、同第二電圧を上記第三電圧より低い第四電圧に降圧して上記インバータ回路に供給し、
上記液晶表示装置の待機時に、上記電源投入時に比して上記第一出力端子および上記第二出力端子から供給される電圧が低下することにより上記第二電圧が上記第三電圧より低下すると、上記第二レギュレータＩＣには上記第三電圧が入力されて同第三電圧より低い第四電圧に降圧して上記インバータ回路に供給する
ことを特徴とするインバータ回路への電圧供給安定化回路。
【請求項２】
スイッチングトランスより出力される電圧を供給対象に安定供給する電圧供給安定化回路において、
上記スイッチングトランスは、少なくとも第一電圧と同第一電圧より低い第二電圧とを各々出力する端子とを有し、上記第一電圧を第一定電圧回路で上記第二電圧より低い第三電圧に降圧しつつ第二定電圧回路に入力し、上記第二電圧を逆流防止のダイオードを介して上記第三電圧と同じく上記第二定電圧回路に入力し、通常は上記第二電圧を上記第二定電圧回路にて上記第三電圧より低い第四電圧に降圧して供給対象に供給しつつ、上記第二電圧の出力が上記第三電圧よりも低下すると上記第三電圧を上記第二定電圧回路にて上記第四電圧に降圧して供給対象に供給することを特徴とする電圧供給安定化回路。
【請求項３】
上記スイッチングトランスが、上記第一電圧に基づいて帰還制御されることを特徴とする上記請求項２に記載の電圧供給安定化回路。
【請求項４】
上記第一定電圧回路は、レギュレータＩＣで実現されることを特徴とする上記請求項２または請求項３に記載の電圧供給安定化回路。
【請求項５】
上記第二定電圧回路は、レギュレータＩＣで実現されることを特徴とする上記請求項２〜請求項４のいずれかに記載の電圧供給安定化回路。
【発明の詳細な説明】
【技術分野】
【０００１】
本発明は、電圧供給安定化回路および液晶表示装置のインバータ回路への電圧供給安定化回路に関し、特にスイッチングトランスの出力電圧を元に、供給対象に一定の電圧供給を行う電圧供給安定化回路および液晶表示装置のインバータ回路への電圧供給安定化回路に関する。
【背景技術】
【０００２】
従来、所定のデバイスに供給する電圧が落ち込む可能性があるときは、電源電圧供給を安定させるために、供給電圧の落ち込むタイミングにあわせて複数の電源電圧供給ラインをトランジスタで切り替えたり（たとえば特許文献１）、供給電圧が切り替わるタイミングにあわせてレギュレータＩＣのオン／オフをマイコン制御したりすることにより行っていた（たとえば特許文献４）。
また、２系統の電源供給元を有しつつ、通常は一方から直接電源供給を行い、この一方の電源供給が低下した時もしくは大電流供給が必要な時は、逆方向に接続されたツェナダイオードを介して接続された他方から、ツェナ降伏により電源電圧を供給することも知られている（たとえば特許文献２や特許文献３）。
【特許文献１】実用新案登録第３１１０９５０号
【特許文献２】特開平１０−１５０７２３
【特許文献３】実開平１−１１５３８０
【特許文献４】実用新案登録第３１２０５２６号
【発明の開示】
【発明が解決しようとする課題】
【０００３】
上述の特許文献１や特許文献４のように電源供給ラインの切り替えを行うと、電源供給に落ち込みが出たり、制御タイミングが難しかったりなどの問題があった。特に、電源投入／待機、などの予め予想された切り替えであればタイミング制御可能であるが、意図しない電源の落ち込みなどには対応できなかった。また、切り替えを行うにはトランジスタなどの切り替え素子を追加する必要もあり、コスト上昇を免れなかった。
また、特許文献２や特許文献４のようにレギュレータを使用すると、発熱が大きいためヒートシンクなどの熱対策が必要となり、回路設計に不利であるとともに、発熱に消費する電力が無駄になっていた。この発熱の問題は、特許文献３のようにツェナダイオードを使用した場合でも同じく存在する。
本発明は、上記課題にかんがみてなされたもので、外部（たとえばマイコン）からの制御を必要とせず、電源供給の落ち込みと発熱を回避し、コストを抑えることが可能な電圧供給安定化回路およびインバータ回路への電圧供給安定化回路の提供を目的とする。
【課題を解決するための手段】
【０００４】
上記課題を解決するために、本発明のインバータ回路への電圧供給安定化回路では、液晶表示装置のインバータ回路への電圧供給を安定させるインバータ回路への電圧供給安定化回路において、上記電圧供給安定化回路には、電源回路の具備するスイッチングトランスの第一出力端子および第二出力端子から電圧供給され、上記第一出力端子は順方向接続される第一ダイオードを介して第一レギュレータＩＣの入力端子に接続されるとともに、同第一レギュレータＩＣの出力端子は順方向接続される第二ダイオードを介して第二レギュレータＩＣの入力端子に接続され、かつ、上記第二出力端子は直列かつ順方向接続される第三ダイオードおよび第四ダイオードを介して上記第二レギュレータＩＣの入力端子に接続され、上記第一出力端子からは上記スイッチングトランスの帰還制御に使用される第一電圧が出力され、上記第二出力端子からは上記第一電圧より低い第二電圧が出力され、上記第一レギュレータＩＣが上記第一電圧を上記第二電圧より低い第三電圧に降圧して上記第二レギュレータＩＣに入力し、上記第二出力端子からも上記第二電圧を逆流防止のダイオードを介して上記第二レギュレータＩＣに入力し、上記液晶表示装置の電源投入時は、上記第二レギュレータＩＣには上記第二電圧が入力されて、同第二電圧を上記第三電圧より低い第四電圧に降圧して上記インバータ回路に供給し、上記液晶表示装置の待機時に、上記電源投入時に比して上記第一出力端子および上記第二出力端子から供給される電圧が低下することにより上記第二電圧が上記第三電圧より低下すると、上記第二レギュレータＩＣには上記第三電圧が入力されて同第三電圧より低い第四電圧に降圧して上記インバータ回路に供給する構成としてある。
【０００５】
また、上記課題を達成するために本発明の電圧供給安定化回路では、スイッチングトランスより出力される電圧を供給対象に安定供給する電圧供給安定化回路において、上記スイッチングトランスは、少なくとも第一電圧と同第一電圧より低い第二電圧とを各々出力する端子とを有し、上記第一電圧を第一定電圧回路で上記第二電圧より低い第三電圧に降圧しつつ第二定電圧回路に入力し、上記第二電圧を逆流防止のダイオードを介して上記第三電圧と同じく上記第二定電圧回路に入力し、通常は上記第二電圧を上記第二定電圧回路にて上記第三電圧より低い第四電圧に降圧して供給対象に供給しつつ、上記第二電圧の出力が上記第三電圧よりも低下すると上記第三電圧を上記第二定電圧回路にて上記第四電圧に降圧して供給対象に供給する構成としてある。
すなわち、スイッチングトランスから出力された第一電圧は第一定電圧回路で第三電圧に降圧されつつ第二定電圧回路に入力され、同様にスイッチングトランスから出力された第二電圧も第二定電圧回路に入力され、第二定電圧回路には第三電圧と第二電圧のいずれか高圧のものが入力される。そして第二定電圧回路では、入力された電圧を第四電圧に高圧して供給対象に供給する。
このように構成すると、スイッチングトランスの出力が低下したときに好適となる。具体的には、通常の各電圧の関係は、第一電圧＞第二電圧＞第三電圧＞第四電圧、であるが、スイッチングトランスの出力が低下したときなどに第一電圧＞第三電圧＞第二電圧＞第四電圧となることがある。このようなことは、スイッチングトランスの出力を変化させた過渡状態や電源回路への電源供給が不安定な場合、節電のためにスイッチングトランス全体の出力を低下させた場合などに生ずる。このような時、従来であれば第二定電圧回路に入力する電圧をスイッチング回路などで切り換える必要があったが、本構成では切り換えを行わずとも自動的かつ遅滞無く（シームレスに）電圧供給元が切り換わり、第二定電圧回路への電圧供給が継続され続ける。
【０００６】
また、上記スイッチングトランスが上記第一電圧に基づいて帰還制御される構成に対して、本発明を適用するとさらに好適である。上記構成において、通常は第二電圧が第二レギュレータＩＣに供給されているため、上記スイッチングトランスの第一電圧を供給する端子には負荷がかかっておらず、第二電圧を供給する端子にのみ負荷がかかっている。従って、スイッチングトランス全体の出力を減少させると、第一電圧を供給する端子からの出力より第二電圧を供給する端子からの出力の落ち込みの方が大きく、第二電圧を供給する端子が第二定電圧回路に対して一時的に十分な電圧を供給できなくなるといった過渡現象が生ずることがある。よって、通常は第一電圧に比べて低電圧な第二電圧に基づく電圧をインバータ回路に供給しつつ、一時的に第二電圧が落ち込んだときのみ第二電圧より高電圧な第一電圧を使用すると、通常時の消費電力を抑え、かつ通常時の第一定電圧回路の発熱を抑えることが出来る。
【０００７】
また、上記第一定電圧回路と上記第二定電圧回路のいずれかまたは組み合わせは、レギュレータＩＣで実現される構成とすると好適である。すなわち、上記第一および第二定電圧回路がレギュレータＩＣで実現されると、電圧供給安定化回路の回路構成がシンプルになり回路設計が容易になる。また、回路素子の配置に必要な基板面積も減少し、本発明の電圧供給安定化回路を使用する電気電子機器のコンパクト化に寄与する。
【発明の効果】
【０００８】
以上説明したように本発明によれば、外部からの制御による切り換えを行わずとも自動的かつ遅滞無く（シームレスに）電圧供給元が切り換わり、第二定電圧回路への電圧供給が継続され続けるため、電源供給の落ち込みと発熱を回避し、コストを抑えることが可能な電圧供給安定化回路を提供することが可能となる。
【０００９】
また請求項３にかかる発明によれば、通常時の消費電力を抑え、かつ通常時の第一定電圧回路の発熱を抑えることが出来る。
そして請求項４または請求項５にかかる発明によれば、電圧供給安定化回路の回路構成がシンプルになり回路設計が容易になる。また、回路素子の配置に必要な基板面積も減少し、本発明の電圧供給安定化回路を使用する電気電子機器をコンパクト化することが出来る。
さらに請求項１のような、より具体的な構成において、上述した請求項２〜請求項５の各発明と同様の作用を奏することはいうまでもない。
【発明を実施するための最良の形態】
【００１０】
以下、下記の順序に従って本発明の実施形態を説明する。
（１）液晶テレビジョンの構成：
（２）電圧供給安定化回路の構成と作用：
（３）まとめ：
【００１１】
（１）液晶テレビジョンの構成： 
以下、図１〜３を参照しつつ、本発明の電圧供給安定化回路２０について、この回路を適用して具体化した液晶テレビジョンを例にとって説明する。図１は液晶テレビジョン１０の構成（概略構成）を説明するブロック図、図２は液晶テレビジョン１０の電源回路１０ｊの内部のスイッチングトランス１４から出力される電圧供給安定化回路２０を示した回路図、図３は電圧供給安定化回路２０の各所の電位変化を電源投入／待機に関連付けて示したタイミングチャートである。本実施例は、液晶テレビジョン１０のインバータ回路１０ｆの前段に電圧供給安定化回路２０を適用した例であるが、むろん、チューナや他の回路への電源供給の際にも適用可能であるし、液晶テレビジョン１０に限らず安定した電源供給を必要とする電気電子機器であればいかなるものにも適用可能であることは言うまでも無い。
【００１２】
図１において、液晶テレビジョン１０は、本体の動作を制御するマイコン１０ｈと、アンテナで受信されるテレビ放送信号から選択されているチャンネルのテレビ放送信号を抽出して出力するチューナ１０ａと、チューナ１０ａが出力したテレビ放送信号に基く映像を液晶パネル１０ｅに表示させる映像処理部１０ｄと、チューナ１０ａが出力したテレビ放送信号に基く音声をスピーカ１０ｃから出力する音声処理部１０ｂと、リモコン１２から送信されてきた操作コマンドを受信してこの操作コマンドに対応する制御コマンド（電圧信号）をマイコン１０ｈに出力するリモコン受信部１０ｉと、液晶テレビジョン１０の各部に電源電圧を供給する電源回路１０ｊと、液晶パネル１０ｅの背後から光を照射するバックライト１０ｇ、およびバックライト１０ｇに電源を供給するインバータ回路１０ｆから構成されている。
【００１３】
上記構成において、マイコン１０ｈは、リモコン受信部１０ｉから受信した制御コマンド（電圧信号）に応じて、Ｐ−ＯＮ−Ｈ信号（液晶テレビジョン１０の電源投入／待機を制御する信号）などの制御信号を出力することにより各部を制御している。
【００１４】
また、電源回路１０ｊには外部より商用電源（例えば、ＡＣ１００Ｖ）が供給されており、供給された電源電圧を各種電圧に変換して、液晶テレビジョン１０の各部に動作電源として供給している。中でもインバータ回路１０ｆには、電源回路１０ｊからの電源電圧が後述する電圧供給安定化回路２０を介して供給されている。
【００１５】
（２）電圧供給安定化回路の構成と作用： 
図２には、電源回路１０ｊのスイッチングトランス１４の出力が電圧供給安定化回路２０に入力され、電圧供給安定化回路２０で安定化された電圧が出力される部分を示してある。この電源回路１０ｊのスイッチングトランス１４の前段には、入力された交流電圧を整流する整流回路や、帰還（フィードバック）された出力端子Ｏｕｔ１の電圧に基づいてスイッチングトランス１４に入力する電圧をＰＷＭ制御する制御部などが備えられている。以下の記述および図２に記載するスイッチングトランス１４の出力端子から出力される電圧は、目安であり、動作状況では上下する。具体的には、Ｂ点における電圧を１０Ｖ／３Ｖ（電源投入時／待機時）としてあるが、８Ｖ／３Ｖとなることもありうる。また、各電圧の大小関係さえ変わらなければ、回路構成次第で様々な値をとりうることは言うまでも無い。また、以下の記述ではスイッチングトランスの出力や各レギュレータへの入力電圧や出力電圧を固定値で記載するが、無論これらは目安の値であり、温度、電流、使用する回路素子などの動作条件により上下する。
【００１６】
このスイッチングトランス１４は、少なくとも、スイッチングトランス１４の帰還制御に使用される第一電圧（図２では電源投入時２２Ｖ、待機時８Ｖ）と、同第一電圧より低い第二電圧（図２では５Ｖ）とを各々出力する端子（図２では、順に出力端子Ｏｕｔ１、Ｏｕｔ２）を有する。
【００１７】
また、電圧供給安定化回路２０は、少なくとも、スイッチングトランス１４の出力端子Ｏｕｔ１より出力された第一電圧（図２では電源投入時２２Ｖ、待機時８Ｖ）を第三電圧（図２では５Ｖ）に降圧する第一定電圧回路（図２ではレギュレータＩＣ１）と、スイッチングトランス１４の出力端子Ｏｕｔ２より出力された第二電圧（図２では電源投入時１０Ｖ、待機時３Ｖ）と第二電圧のいずれかが入力されて第四電圧（図２では３．３Ｖ）を出力する第二定電圧回路とから構成される。
【００１８】
そして、電圧供給安定化回路２０は、少なくとも、第一電圧（図２では電源投入時２２Ｖ、待機時８Ｖ）を第一定電圧回路（図２ではレギュレータＩＣ１）で第二電圧（図２では電源投入時１０Ｖ、待機時３Ｖ）より低い第三電圧（図２では５Ｖ）に降圧しつつ第二定電圧回路（図２ではレギュレータＩＣ２）に入力し、第二電圧を逆流防止のダイオードＤ３を介して第三電圧と同じく第二定電圧回路に入力し、通常（本実施例では電源電源投入時）は第二電圧（ここでは１０Ｖ）を第二定電圧回路にて第三電圧（ここでは５Ｖ）より低い第四電圧（ここでは３．３Ｖ）に降圧して供給対象（本実施例ではインバータ回路１０ｆ）に供給しつつ、第二電圧の出力が第三電圧よりも低下すると（本実施例では待機時の第二電圧が３Ｖとなる場合）第三電圧（ここでは５Ｖ）を第二定電圧回路（図２ではレギュレータＩＣ２）にて第四電圧（ここでは３．３Ｖ）に降圧して供給対象に供給する。
【００１９】
具体的には、主として電圧供給安定化回路２０は、逆流防止のダイオードＤ１，Ｄ２，Ｄ３，Ｄ４と、レギュレータＩＣ１と、レギュレータＩＣ２と、から構成される。スイッチングトランス１４の出力端子Ｏｕｔ１（第一出力端子）からレギュレータＩＣ１（第一レギュレータ）へはダイオードＤ１（第一ダイオード）で順方向接続され、レギュレータＩＣ１の出力からレギュレータＩＣ２（第二レギュレータ）へはダイオードＤ２（第二ダイオード）で順方向接続される。そして、レギュレータＩＣ２の出力はインバータ回路１０ｆに入力される。
【００２０】
また、スイッチングトランス１４の出力端子Ｏｕｔ２（第二出力端子）からレギュレータＩＣ２へは、ダイオードＤ４（第四ダイオード）とダイオードＤ３（第三ダイオード）の順に直列かつ順方向で接続される。さらにダイオードＤ３のアノードからは音声処理部１０ｂへの電源供給ラインが出ている。
【００２１】
レギュレータＩＣ１およびレギュレータＩＣ２は、電圧が入力されるｉｎ端子と、電圧を出力するｏｕｔ端子と、グランドに接続されるＧＮＤ端子（ＣＯＭ端子）とを備えている。レギュレータＩＣ１は、電圧をｉｎ端子より５Ｖ以上の電圧（第一電圧、図２では電源投入時２２Ｖ、待機時８Ｖ）が入力され、ｏｕｔ端子より５Ｖ（第三電圧）を出力し、ＧＮＤ端子から対グランドに２つのダイオードが直列に接続されている。また、レギュレータＩＣ２は、ｉｎ端子より３．３Ｖ以上の電圧（図２では電源投入時１０Ｖ（第二電圧）、待機時５Ｖ（第三電圧））が入力され、ｏｕｔ端子より３．３Ｖ（第四電圧）を出力する。またＣＯＭ端子（ＧＮＤ端子）から対グランドに抵抗が接続されつつ、ｉｎ端子とｏｕｔ端子が抵抗で接続される。
【００２２】
上記構成により、出力端子Ｏｕｔ１の出力はダイオードＤ１を介してレギュレータＩＣ１に入力され、レギュレータＩＣ１の出力はダイオードＤ２を介してレギュレータＩＣ２に入力される。また、出力端子Ｏｕｔ２の出力はダイオードＤ４，Ｄ３を介してＩＣ２に入力される。同時に、出力端子Ｏｕｔ２の出力はダイオードＤ４を介して音声処理部１０ｂに供給される。すなわちレギュレータＩＣ２へは、図２のＣ点を介して出力端子Ｏｕｔ１および出力端子Ｏｕｔ２から電圧が供給されているため、レギュレータＩＣ２へ入力される電圧はレギュレータＩＣ１の出力と出力端子Ｏｕｔ２の出力のいずれか電圧の高い方と言える。そして、レギュレータＩＣ２は入力されたいずれか高い方の電圧に基づいて出力をインバータ回路１０ｆに供給する。
【００２３】
以下、上記構成からなる本実施形態の動作を図３のタイミングチャートを参照しつつ説明する。図３のＡ点、Ｂ点、Ｃ点、Ｄ点はそれぞれ図２のＡ、Ｂ、Ｃ、Ｄに対応する。
ユーザが液晶テレビジョン１０を視聴中にリモコンの電源ボタンを押圧操作すると同操作に対応するリモコン信号が発信され、リモコン受信部が同リモコン信号を受信する。そしてリモコン受信部からマイコン１０ｈへ制御コマンドが出力される。液晶テレビジョン１０が電源投入時は、マイコン１０ｈは電源回路１０ｊに制御信号Ｐ−ＯＮ（パワーオン、電源投入）を出力しているが、リモコン受信部から制御コマンドを受信すると、制御信号Ｓ／Ｂ（スタンバイ、待機）の出力を開始する。
【００２４】
電源回路１０ｊに制御信号Ｐ−ＯＮ入力中は、出力端子Ｏｕｔ１から２２Ｖが出力されるとともに出力端子Ｏｕｔ２からは１０Ｖが出力される。このとき図２の各点の電位は、Ａ点で２２Ｖ、Ｂ点で１０Ｖ、Ｃ点で１０Ｖ、Ｄ点で３．３Ｖとなる。つまり、出力端子Ｏｕｔ１からＣ点に対しては電流は流れず、出力端子Ｏｕｔ２からＣ点を経由してレギュレータＩＣ２の入力端子に電流が流れる。従ってＣ点にはダイオードＤ４およびＤ３を介して出力端子Ｏｕｔ２からの電圧が供給されるため、出力端子Ｏｕｔ１からＣ点へは電流が流れない。従ってレギュレータＩＣ１にも電流が流れることは無く、レギュレータＩＣ１から発熱することは無い。
【００２５】
一方、電源回路１０ｊに制御信号Ｓ／Ｂが入力されると、出力端子Ｏｕｔ１からは８Ｖを出力するとともに出力端子Ｏｕｔ２からは３Ｖを出力する。このとき図２の各点の電位は、Ａ点で８Ｖ、Ｂ点で３Ｖ、Ｃ点で５Ｖ、Ｄ点で３．３Ｖとなる。つまり、出力端子Ｏｕｔ２からＣ点へは電流が流れず、出力端子Ｏｕｔ１からレギュレータＩＣ１で降圧された電流がＣ点へ流れる。ここで、出力端子Ｏｕｔ２はＣ点より低電位であるが、ダイオードＤ３の整流作用でＣ点から出力端子Ｏｕｔ２へは電流は流れず、Ｃ点からレギュレータＩＣ２の入力端子へ電流が流れる。従って、レギュレータＩＣ１には電流が流れるため発熱するが、供給電圧が低いため（Ｐ−ＯＮ時と比べて）発熱量は少なく、安定した電圧供給できる。
【００２６】
以上より、Ｐ−ＯＮ時もＳ／Ｂ時もレギュレータＩＣに一定電圧（第四電圧、図２では３．３Ｖ）以上の電圧を供給することが可能となる。よって、意図的にスイッチング回路などので電源の供給元を切り換えることをせずとも、Ｐ−ＯＮとＳ／Ｂの切換時に遅滞無く（途切れる事無く）電源の供給元が切り換わり、レギュレータＩＣ２に一定電圧以上の電圧が供給され続けるため、供給先（本実施例ではインバータ回路１０ｆ）に不具合（本実施例ではバックライトが消えるなど）が生ずることがない。
【００２７】
（３）まとめ： 
つまり、スイッチングトランス１４は電源投入時２２Ｖ／待機時８Ｖを出力する端子と電源投入時１０Ｖ／待機時３Ｖを出力する端子とを有し、２２Ｖまたは８ＶがレギュレータＩＣ１で５Ｖに降圧されつつレギュレータＩＣ２に入力され、１０Ｖまたは３ＶがレギュレータＩＣ２に入力され、電源投入時は１０ＶをレギュレータＩＣ２が３．３Ｖに降圧してインバータ回路１０ｆに供給し、待機時は８ＶをレギュレータＩＣで３．３Ｖに降圧してインバータ回路１０ｆに供給する。よって、マイコン１０ｈからの制御を必要とせず、電源供給の落ち込みと発熱を回避し、コストを抑えることが可能な液晶テレビジョン１０のインバータ回路への電圧供給安定化回路２０を提供できる。
【００２８】
以上説明したように、本実施例に対応する電圧供給安定化回路では、スイッチングトランスより出力される電圧を供給対象に安定供給する電圧供給安定化回路において、上記スイッチングトランスは、少なくとも第一電圧と同第一電圧より低い第二電圧とを各々出力する端子とを有し、上記第一電圧を第一定電圧回路で上記第二電圧より低い第三電圧に降圧しつつ第二定電圧回路に入力し、上記第二電圧を逆流防止のダイオードを介して上記第三電圧と同じく上記第二定電圧回路に入力し、通常は上記第二電圧を上記第二定電圧回路にて上記第三電圧より低い第四電圧に降圧して供給対象に供給しつつ、上記第二電圧の出力が上記第三電圧よりも低下すると上記第三電圧を上記第二定電圧回路にて上記第四電圧に降圧して供給対象に供給する構成としてある。
すなわち、スイッチングトランスから出力された第一電圧は第一定電圧回路で第三電圧に降圧されつつ第二定電圧回路に入力され、同様にスイッチングトランスから出力された第二電圧も第二定電圧回路に入力され、第二定電圧回路には第三電圧と第二電圧のいずれか高圧のものが入力される。そして第二定電圧回路では、入力された電圧を第四電圧に高圧して供給対象に供給する。
このように構成すると、スイッチングトランスの出力が低下したときに好適となる。具体的には、通常の各電圧の関係は、第一電圧＞第二電圧＞第三電圧＞第四電圧、であるが、スイッチングトランスの出力が低下したときなどに第一電圧＞第三電圧＞第二電圧＞第四電圧となることがある。このようなことは、スイッチングトランスの出力を変化させた過渡状態や電源回路への電源供給が不安定な場合、節電のためにスイッチングトランス全体の出力を低下させた場合などに生ずる。このような時、従来であれば第二定電圧回路に入力する電圧をスイッチング回路などで切り換える必要があったが、本構成では切り換えを行わずとも自動的かつ遅滞無く（シームレスに）電圧供給元が切り換わり、第二定電圧回路への電圧供給が継続され続ける。
【００２９】
また、上記スイッチングトランスが上記第一電圧に基づいて帰還制御される構成に対して、本発明を適用するとさらに好適である。上記構成において、通常は第二電圧が第二レギュレータＩＣに供給されているため、上記スイッチングトランスの第一電圧を供給する端子には負荷がかかっておらず、第二電圧を供給する端子にのみ負荷がかかっている。従って、スイッチングトランス全体の出力を減少させると、第一電圧を供給する端子からの出力より第二電圧を供給する端子からの出力の落ち込みの方が大きく、第二電圧を供給する端子が第二定電圧回路に対して一時的に十分な電圧を供給できなくなることがある。よって、通常は第一電圧に比べて低電圧な第二電圧に基づく電圧をインバータ回路に供給しつつ、一時的に第二電圧が落ち込んだときのみ第二電圧より高電圧な第一電圧を使用すると、通常時の消費電力を抑え、かつ通常時の第一定電圧回路の発熱を抑えることが出来る。
【００３０】
また、上記第一定電圧回路と上記第二定電圧回路のいずれかまたは組み合わせは、レギュレータＩＣで実現される構成とすると好適である。すなわち、上記第一および第二定電圧回路がレギュレータＩＣで実現されると、電圧供給安定化回路の回路構成がシンプルになり回路設計が容易になる。また、回路素子の配置に必要な基板面積も減少し、本発明の電圧供給安定化回路を使用する電気電子機器のコンパクト化に寄与する。
【００３１】
以上の構成を踏まえた上で、本発明のインバータ回路への電圧供給安定化回路では、液晶表示装置のインバータ回路への電圧供給を安定させるインバータ回路への電圧供給安定化回路において、上記電圧供給安定化回路には、電源回路の具備するスイッチングトランスの第一出力端子および第二出力端子から電圧供給され、上記第一出力端子は順方向接続される第一ダイオードを介して第一レギュレータＩＣの入力端子に接続されるとともに、同第一レギュレータＩＣの出力端子は順方向接続される第二ダイオードを介して第二レギュレータＩＣの入力端子に接続され、かつ、上記第二出力端子は直列かつ順方向接続される第三ダイオードおよび第四ダイオードを介して上記第二レギュレータＩＣの入力端子に接続され、上記第一出力端子からは上記スイッチングトランスの帰還制御に使用される第一電圧が出力され、上記第二出力端子からは上記第一電圧より低い第二電圧が出力され、上記第一レギュレータＩＣが上記第一電圧を上記第二電圧より低い第三電圧に降圧して上記第二レギュレータＩＣに入力し、上記第二出力端子からも上記第二電圧を逆流防止のダイオードを介して上記第二レギュレータＩＣに入力し、上記液晶表示装置の電源投入時は、上記第二レギュレータＩＣには上記第二電圧が入力されて、同第二電圧を上記第三電圧より低い第四電圧に降圧して上記インバータ回路に供給し、上記液晶表示装置の待機時に、上記電源投入時に比して上記第一出力端子および上記第二出力端子から供給される電圧が低下することにより上記第二電圧が上記第三電圧より低下すると、上記第二レギュレータＩＣには上記第三電圧が入力されて同第三電圧より低い第四電圧に降圧して上記インバータ回路に供給する構成としてある。
【００３２】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００３３】
【図１】液晶テレビジョンの構成（概略構成）を説明するブロック図である。
【図２】液晶テレビジョンの電源回路の内部のスイッチングトランスから出力される電圧供給安定化回路を示した回路図である。
【図３】電圧供給安定化回路の各所の電位変化を電源投入／待機に関連付けて示したタイミングチャートである。
【符号の説明】
【００３４】
１０…液晶テレビジョン
１０ａ…チューナ
１０ｂ…音声処理部
１０ｃ…スピーカ
１０ｄ…映像処理部
１０ｅ…液晶パネル
１０ｆ…インバータ回路
１０ｇ…バックライト
１０ｈ…マイコン
１０ｉ…リモコン受信部
１０ｊ…電源回路
１２…リモコン
１４…スイッチングトランス
ＩＣ１、ＩＣ２…レギュレータ
Ｄ１、Ｄ２、Ｄ３、Ｄ４…ダイオード
Ｏｕｔ１、Ｏｕｔ２…出力端子
【図１】
2008020724.tif 000003
【図２】
2008020724.tif 000004
【図３】
2008020724.tif 000005